(57)【特許請求の範囲】
【請求項１】
通信ネットワークに接続された中継センタと、端末に接続された複数の第１のノードと、前記中継センタと第１のノードとの間に配置された複数の第２のノードとを有し、
前記各第２のノードに対して複数の第１のノードをグループ化し、同一グループの第１のノード及び前記第２のノードとが第１のループ光伝送路によってそれぞれ接続され、
前記中継センタ及び異なるグループの各第２のノードとが第２のループ光伝送路によって接続され、
前記第２のノードに前記第１のループ光伝送路と第２のループ光伝送路とを光学的又は電気的に結合する結合手段を有し、
その結合手段によって中継センタから第１及び第２のノードを介して中継センタに戻るループ状の光伝送路を形成する中継ネットワーク方式において、
前記第２のループ光伝送路は、波長多重化された光信号が伝送され、
前記入力された波長多重化された光信号のうち所定の波長の光信号だけを取り出すバンドパスフィルタを有する第２のノードと、前記バンドパスフィルタを有しない第２のノードとを切り替える切替スイッチが前記第２のループ光伝送路に設けられている、
ことを特徴とする中継ネットワーク方式。
【請求項２】
前記第１のノードは、前記第１のループ光伝送路での光信号伝送速度と、前記端末との間の光伝送路での光信号伝送速度とを変換する速度変換手段を有することを特徴とする請求項１に記載の中継ネットワーク方式。
【請求項３】
前記第２のノードは、前記第１のループ光伝送路での光信号伝送速度と第２のループ光伝送路での光信号伝送速度とを変換する速度変換手段を有することを特徴とする請求項１又は２に記載の中継ネットワーク方式。
【請求項４】
前記第１のループ光伝送路は、波長多重化された光信号が伝送され、
前記第１のノードは、前記入力された波長多重化された光信号のうち所定の波長の光信号だけを取り出すバンドパスフィルタを有する、
ことを特徴とする請求項１乃至３のいずれか１つの項に記載の中継ネットワーク方式。
【請求項５】
前記波長多重化された光信号は、特定の時間だけ同一周波数で変調され、他の時間を異なる周波数で変調された光信号を合波していることを特徴とする請求項１乃至４のいずれか１つの項に記載の中継ネットワーク方式。
【請求項６】
前記第１のループ光伝送路又は第２のループ光伝送路には、複数の小ループ状の光伝送路に分割するための切替スイッチ装置が設けられていることを特徴とする請求項１乃至５のいずれか１つの項に記載の中継ネットワーク方式。
【発明の詳細な説明】
【０００１】
【発明の属する技術分野】
本発明はイントラネットなどの通信ネットワークと端末との間に設けられる中継ネットワーク方式に関する。
【０００２】
【従来の技術】
図１０は、従来の中継ネットワーク方式の構成を示す説明図である。図１０に示すように、従来の中継ネットワーク方式は、通信ネットワーク５０に接続され、ＩＰの管理を行うＩＰマネージャ５１と、そのＩＰマネージャ５１に接続される中継センタ５２と、端末５３に接続される複数のノード５４と、中継センタ５１と各ノード５４との間を接続する光ファイバなどの光伝送路５５とを有する。
【０００３】
通信ネットワーク５０は、例えばイントラネットなどの専用線ネットワークであり、サーバ５６によって管理され、ＩＰマネージャ５７、専用回線５８を介して外部のインターネット５９などに接続されている。
【０００４】
中継センタ５２は、工務所や営業所などに設置され、通信ネットワーク５０からのＩＰパケット光信号を分岐する分岐器（図示せず）を有している。
【０００５】
ノード５４は、例えば電柱などに設置される。
【０００６】
通信ネットワーク５０からの光信号はＩＰマネージャ５１によってＩＰ化され、中継センタ５２で分岐器により分岐されて各ノード５４に送られ、さらにノード５４で宛先ＩＰアドレスに従い各端末５３に送られる。また、端末５３からの光信号は、ノード５４、中継センタ５２を通りＩＰマネージャ５１によってＩＰ化された後、通信ネットワーク５０に送られる。
【０００７】
【発明が解決しようとする課題】
従来の中継ネットワーク方式では、通信ネットワーク５０と端末５３までの間の構成がスター状に分岐されているので、システムを物理的に構成した後、伝送される光信号の情報量が増加した場合、光伝送路５５を新たに敷設して対応していた。そのため、新たなシステム構築のための作業時間やコストがかかるという問題がある。
【０００８】
また、利用地域やクライアントなどをグループ化し、各グループごとに光信号の伝送速度を変えたり、波長を変えることを容易に行うことはできなかった。
【０００９】
本発明は、上記課題を解決するためになされたものであり、伝送される光信号の情報量が増加しても、システム構築のための作業時間やコストを低減することができ、利用地域やクライアントなどをグループ化し、各グループごとに光信号の伝送速度を変えたり、波長を変えることを容易に行うことができる中継ネットワーク方式を提供することを目的とする。
【００１０】
【課題を解決するための手段】
本発明の中継ネットワーク方式は、通信ネットワークに接続された中継センタと、端末に接続された複数の第１のノードと、前記中継センタと第１のノードとの間に配置された複数の第２のノードとを有し、
前記各第２のノードに対して複数の第１のノードをグループ化し、同一グループの第１のノード及び前記第２のノードとが第１のループ光伝送路によってそれぞれ接続され、
前記中継センタ及び異なるグループの各第２のノードとが第２のループ光伝送路によって接続され、
前記第２のノードに前記第１のループ光伝送路と第２のループ光伝送路とを光学的又は電気的に結合する結合手段を有し、
その結合手段によって中継センタから第１及び第２のノードを介して中継センタに戻るループ状の光伝送路を形成する中継ネットワーク方式において、
前記第２のループ光伝送路は、波長多重化された光信号が伝送され、
前記入力された波長多重化された光信号のうち所定の波長の光信号だけを取り出すバンドパスフィルタを有する第２のノードと、前記バンドパスフィルタを有しない第２のノードとを切り替える切替スイッチが前記第２のループ光伝送路に設けられていることを特徴とするものである。
【００１１】
前記第１のノードは、前記第１のループ光伝送路での光信号伝送速度と、前記端末との間の光伝送路での光信号伝送速度とを変換する速度変換手段を有してもよい。
【００１２】
前記第２のノードは、前記第１のループ光伝送路での光信号伝送速度と第２のループ光伝送路での光信号伝送速度とを変換する速度変換手段を有してもよい。
【００１４】
前記第１のループ光伝送路は、波長多重化された光信号が伝送され、前記第１のノードは、前記入力された波長多重化された光信号のうち所定の波長の光信号だけを取り出すバンドパスフィルタを有してもよい。
【００１５】
前記波長多重化された光信号は、特定の時間だけ同一周波数で変調され、他の時間を異なる周波数で変調された光信号を合波していてもよい。
【００１６】
前記第１のループ光伝送路又は第２のループ光伝送路には、複数の小ループ状の光伝送路に分割するための切替スイッチ装置が設けられていてもよい。
【００１７】
【発明の実施の形態】
以下、本発明の実施の形態を図面を参照しながら説明する。図１は、本発明の第１の実施の形態に係る中継ネットワーク方式の構成を示す説明図である。
【００１８】
図１に示すように、第１の実施の形態に係る中継ネットワーク方式は、通信ネットワーク１に接続され、ＩＰの管理を行うＩＰマネージャ２と、そのＩＰマネージャ２に接続された中継センタ３と、端末４に接続された複数の第１のノード５と、中継センタ３と第１のノード５との間に配置された複数の第２のノード６と、を有する。
【００１９】
各第２のノード６に対して複数の第１のノード５を複数のグループ（図１では３つのグループ）にグループ化しており、同一グループの第１のノード５及び第２のノード６とが第１のループ光伝送路７によってそれぞれ接続されている。
【００２０】
また、中継センタ３及び異なるグループの各第２のノード６とが第２のループ光伝送路８によって接続されている。
【００２１】
第１のループ光伝送路７及び第２のループ光伝送路８は、例えば光ファイバである。
【００２２】
通信ネットワーク１は、例えばイントラネットなどの専用線ネットワークであり、サーバ５６によって管理され、ＩＰマネージャ５７、専用回線５８を介して外部のインターネット５９などに接続されている（図１０参照）。
【００２３】
中継センタ３は、工務所や営業所などに設置され、通信ネットワーク１からのＩＰパケット光信号を分岐する分岐器（図示せず）を有している。
【００２４】
第１のノード５は、例えば電柱などに設置される。
【００２５】
第２のノード６は、第１のループ光伝送路７と第２のループ光伝送路８とを結合する光カプラ９を有する。光カプラ９は、図１（Ｂ）に示すように、４つのポート（端子）ａ，ｂ，ｃ，ｄを有する。ポートａ及びポートｃは第２のループ光伝送路８に接続され、ポートｂ及びポートｄは第１のループ光伝送路７に接続されている。光カプラ９は、中継センタ３又は他のグループの第２のノード６から第２のループ光伝送路８を介してポートａに入力された光信号をポートｂから出力させ第１のループ光伝送路７に送出し、第１のノード５から第１のループ光伝送路７を介してポートｄに入力された光信号をポートｃから出力させ第２のループ光伝送路８に送出する。従って、この光カプラ９によって中継センタ３から第１及び第２のノード５，６を介して中継センタ３に戻るループ状の光伝送路Ｌが形成されることになる。
【００２６】
なお、光カプラ９の代わりに電気／光変換器、光／電気変換器を設け、電気的に第１のループ光伝送路７と第２のループ光伝送路８とを結合してもよい。また、本発明は双方向の中継ネットワーク方式であるので、ポートｂに入力された光信号をポートａから出力し、ポートｃに入力された光信号をポートｄから出力する場合もある。
【００２７】
通信ネットワーク１からの光信号はＩＰマネージャ２によってＩＰ化され、中継センタ３で分岐器により分岐される。中継センタ３からの光信号は、第２のループ光伝送路８、第２のノード６、第１のループ光伝送路７を通って第１のノード５に入力される。第１のノード５では、光信号の宛先ＩＰアドレスに従い、端末４又は第１のループ光伝送路７に送られる。第１のループ光伝送路７に送られた光信号は、第２のノード６、第２のループ光伝送路８を通って他のグループの第２のノード６に送られる。以下、光信号は、第１のループ光伝送路７、第１のノード５、第２のノード６、第２のループ光伝送路８というようにループ状の光伝送路Ｌを巡回していく。
【００２８】
初期状態においては、ループ状の光伝送路Ｌには所定速度で光信号が伝送されており、第１のノード５及び第２のノード６での光信号の伝送速度の変換は行なわれていない。
【００２９】
その後、伝送される光信号の情報量が増加した場合、光ファイバなどの光伝送路を新たに敷設することなく、ループ状の光伝送路Ｌを巡回する光信号の伝送速度を上げる（例えば、ＭｂｐｓレベルからＧｂｐｓレベルにする）ことにより対応することができる。従って、光ファイバなどの光伝送路を新たに敷設する必要がなく、システム構築のための作業時間やコストを低減することができる。
【００３０】
また、第１のノード５に、端末４との間の光伝送路での光信号の伝送速度と第１のループ光伝送路７での光信号の伝送速度とを変換する速度変換部５ａを設けてもよい。この速度変換部５ａは、例えば第１のループ光伝送路７での光信号の伝送速度がＧｂｐｓレベルの場合、端末４との間の光伝送路での光信号の伝送速度を１００Ｍｂｐｓレベル又は１０Ｍｂｐｓレベルに速度変換する。第１のノード５の中には、速度変換部５ａを有していないものもある。
【００３１】
このように構成することにより、例えばループ状の光伝送路Ｌを巡回する光信号の伝送速度を上げた場合、速度変換部５ａを有する第１のノードについては上げた伝送速度を下げて、いままでと同じ伝送速度で伝送させることができ、速度変換部５ａを有しない第１のノードについては、上げた伝送速度でそのまま伝送させることができる。従って、利用地域やクライアントなどに応じて光信号の伝送速度を容易に変えることが可能となる。
【００３２】
図２は、本発明の第２の実施の形態に係る中継ネットワーク方式の構成を示す説明図、図３は、第２の実施の形態に係る第２のノードの構成を示す構成図である。
【００３３】
図３に示すように、第２の実施の形態に係る第２のノード６は、第２のループ光伝送路８に接続され、電気信号を光信号に変換して出力する電気／光変換器（Ｅ／Ｏ）及び入力された光信号を電気信号に変換する光／電気変換器（Ｏ／Ｅ）１０，１１と、第１のループ光伝送路７に接続されたＥ／Ｏ、Ｏ／Ｅ１２，１３と、Ｅ／Ｏ、Ｏ／Ｅ１０，１１の間に設けられた第１の電気信号処理部１４と、Ｅ／Ｏ、Ｏ／Ｅ１２，１３の間に設けられた第２の電気信号処理部１５と、第１の電気信号処理部１４と第２の電気信号処理部１５とを電気的に結合する結合部１６とを有する。
【００３４】
第１の電気信号処理部１４は、Ｏ／Ｅ１０からの電気信号をＥ／Ｏ１１に送出するか、結合器１６を介して第２の電気信号処理部１５に送出するかを切り替えたり、結合器１６からの電気信号をＥ／Ｏ１０に送出するか、Ｅ／Ｏ１１に送出するかを切り替える機能を有する。
【００３５】
第２の電気信号処理部１５は、結合部１６からの電気信号をＥ／Ｏ１２に送出するか、Ｅ／Ｏ１３に送出するかを切り替えたり、結合部１６からの電気信号を速度変換する機能を有する。
【００３６】
第２の実施の形態によれば、例えば第２のループ光伝送路８を伝送する光信号の伝送速度を上げて、各グループの第２のノード６ａ、６ｂ、６ｃの第１の電気信号処理部１４によって図２（Ａ）のように切り替えた場合、第２のノード６ｂを通る光信号は、太線で示すように、第２のループ光伝送路８での伝送速度のまま第１のループ光伝送路７ｂに送られる。
【００３７】
また、第２のノード６ａ、６ｂ、６ｃの第１の電気信号処理部１４によって図２（Ｂ）にように切り替えた場合、第２のノード６ａを通る光信号は、太線で示すように、第１のループ光伝送路７ａに送られる。
【００３８】
従って、各グループの第２のノード６ごとに機器を変えたり、部品を変えることにより、第２のノード６で速度変換を行ったり、行わなかったりしたり、速度変換率を変えることができるので、利用地域やクライアントなどに応じて光信号の伝送速度を容易に変えることが可能となる。
【００３９】
なお、第２のノード６の構成については、光スイッチを設けて光学的に光信号の切替を行ってもよい。
【００４０】
図４は、本発明の第３の実施の形態に係る中継ネットワーク方式の構成を示す説明図、図５は、第３の実施の形態に係る第２のノードの構成を示す構成図である。
【００４１】
第３の実施の形態では、ＷＤＭ（Wavelength Division Multiplexing）方式を採用しており、第２のループ光伝送路８は、波長多重化された光信号が伝送される。
【００４２】
また、第２のノード６は、図５に示すように、第２のループ光伝送路８に接続され、入力された波長多重化された光信号のうち所定の波長の光信号だけを取り出すバンドパスフィルタ１７と、第１のループ光伝送路７に接続されたＥ／Ｏ、Ｏ／Ｅ１８，１９と、Ｅ／Ｏ、Ｏ／Ｅ１８，１９の間に設けられた電気信号処理部２０と、バンドパスフィルタ１７と電気信号処理部２０とを接続するＥ／Ｏ、Ｏ／Ｅ２１とを有する。
【００４３】
バンドパスフィルタ１７は、例えばガラス等の基板上に誘電体多層膜を蒸着して作成され、特定の範囲の波長の光線のみを抽出して透過させる。
【００４４】
図４に示すように、例えば第２のループ光伝送路８は、波長λ１、λ２、λ３の光信号が多重化された光信号が伝送されており、第２のノード６ａは、波長λ１の光信号を取り出すバンドパスフィルタ１７ａを有し、第２のノード６ｂは、波長λ２の光信号を取り出すバンドパスフィルタ１７ｂを有し、第２のノード６ｃは、波長λ３の光信号を取り出すバンドパスフィルタ１７ｃを有する。従って、第１のループ光伝送路７ａは波長λ１の光信号が通り、第１のループ光伝送路７ｂは波長λ２の光信号が通り、第１のループ光伝送路７ｃは波長λ３の光信号が通ることになる。
【００４５】
また、各第２のノード６では、すべての波長λ１、λ２、λ３の光信号がそのまま通過して、他のグループの第２のノード６に送出されるように構成されている。これは、同じ波長の光信号を複数の第２のノード６で取り出す場合があるからである。
【００４６】
第３の実施の形態によれば、ＷＤＭ方式を採用した場合、各グループの第１のループ光伝送路７ごとに異なる波長の光信号を伝送させることができるので、利用地域やクライアントごとに所定の波長の光信号を伝送させることができる。
【００４７】
また、第２の実施の形態と第３の実施の形態を組み合わせて構成してもよい。この場合、例えば図６に示すように、第２のループ光伝送路８に光スイッチなどの切替スイッチ８ａを複数個設け、各切替スイッチ８ａを連動させることにより、光信号をどの構成のシステムに送出するかを制御してもよい。特に、第２の実施の形態のシステムを使用していて、情報量が増加した場合に、第３の実施の形態を加えることにより、上位にある第２のループ光伝送路８の光芯線の変更を行う必要がなくなる。
【００４８】
図７は、第４の実施の形態に係る第１のノードの構成を示す構成図である
図７に示すように、第１のノード５は、第１のループ光伝送路７に接続され、入力された波長多重化された光信号のうち所定の波長の光信号だけを取り出すバンドパスフィルタ２２と、端末４との間に接続された光伝送路２３に接続されたＥ／Ｏ、Ｏ／Ｅ２４と、バンドパスフィルタ２２に接続されたＥ／Ｏ、Ｏ／Ｅ２５と、Ｅ／Ｏ、Ｏ／Ｅ２４、２５の間に設けられた電気信号処理部２６とを有する。
【００４９】
第４の実施の形態では、第１のノード５にバンドパスフィルタ２２を有するので、第１のノード５で所定の波長の光信号を取り出すことができる。
【００５０】
ところで、ＷＤＭの多重分離化は次の２つの方法がある。
【００５１】
（１）光学的に多重、分離を行う方法
（２）予め各光信号を周波数の異なる光信号で変調しておき光学的に多重し、一括受光して、光／電気変換した後に電気フィルタを用いて周波数毎に分離する方法
通常、（１）の方法では、全て光学的に行うことになるので、システムとして独立する場合が多いが、（２）の方法では、ある特定時間だけ同一周波数（必要な数の周波数で良い）で変調することにより、異なるシステムの同期などの一括制御などを行うことができる。
【００５２】
例えば、システムＳ１では、光信号をｆ１で変調し、特定時間のみｆｓで変調し、再度ｆ１で変調し、これらを光学合成フィルタを通して光伝送しており、システムＳ２では、光信号をｆ２で変調し、特定時間のみｆｓで変調し、再度ｆ２で変調し、これらを光学合成フィルタを通して光伝送している場合、特定時間だけ同一周波数ｆｓとなっているので、システムＳ１とシステムＳ２の同期などの一括制御が可能となる。また、光信号の遅れ、異常報告、異系統への連絡を行うことができ、周波数分割多重（ＦＤＭ：Frequency Division Multiplexing）として利用できる。
【００５３】
図８は、本発明の第５の実施の形態に係る中継ネットワーク方式の構成を示す説明図、図９は、本発明の第５の実施の形態に係る中継ネットワーク方式に用いられる切替スイッチ装置の動作を説明するための説明図である。
【００５４】
図８に示すように、第５の実施の形態では、ループ状の光伝送路２７を複数の小ループ状の光伝送路に分割するための第１の切替スイッチ装置２８及び第２の切替スイッチ装置２９が設けられている。図９に示すように、第１の切替スイッチ装置２８は、第１〜第５のスイッチ２８ａ〜２８ｅを有する。また、第２の切替スイッチ装置２９は、第６〜第８のスイッチ２９ａ〜２９ｃを有する。
【００５５】
初期状態のときは、第１の切替スイッチ装置２８の第１〜第５のスイッチ２８ａ〜２８ｅはすべてＯＦＦ状態になっており（図９（Ａ）参照）、第２の切替スイッチ装置２９の第６及び第７のスイッチ２９ａ、２９ｂはＯＦＦ状態、第８のスイッチ２９ｃはＯＮ状態になっている（図９（Ｂ）参照）。従って、図８（Ａ）に示すように、大ループ状の光伝送路２７が形成されている。この場合、給電線３０は２本必要となる。給電線３０と光伝送路２７とは光カプラなどで接続されている。
【００５６】
光伝送路２７の必要情報量が増加した場合には、第１の切替スイッチ装置２８の第４のスイッチ２８ｄ、２８ｅをＯＮ状態にし（図９（Ｃ）参照）、第２の切替スイッチ装置２９の第６及び第７のスイッチ２９ａ、２９ｂをＯＮ状態、第８のスイッチ２９ｃをＯＦＦ状態にする（図９（Ｄ）参照）。これによって、図８（Ｂ）に示すように、大ループ状の光伝送路２７が２つの小ループ状の光伝送路２７ａ、２７ｂに分割される。この場合、切替スイッチ２８ａ及び２８ｃの内側の位置にそれぞれ給電線３０を接続し、給電線３０は合計４本となる。
【００５７】
第５の実施の形態によれば、ループ状の光伝送路２７を複数の小ループ状の光伝送路２７ａ、２７ｂに分割するための切替スイッチ装置２８、２９が設けられているので、分割された小ループ状の光伝送路２７ａ、２７ｂ毎に、伝送される光信号の伝送速度を変えたり、波長を変えることができる。従って、利用地域やクライアントなどに応じて光信号の伝送速度を変えたり、波長を変えることができる。
【００５８】
なお、第５の実施の形態では、３以上の切替スイッチ装置を設けることにより、３以上の小ループ状の光伝送路に分割するように構成してもよい。
【００５９】
また、切替スイッチ装置内のスイッチは、光スイッチなどを用いてもよい。
【００６０】
本発明は、上記実施の形態に限定されることはなく、特許請求の範囲に記載された技術的事項の範囲内において、種々の変更が可能である。
【００６１】
【発明の効果】
本発明の中継ネットワーク方式によれば、第２のノードに第１のループ光伝送路と第２のループ光伝送路とを光学的又は電気的に結合する結合手段を有し、その結合手段によって中継センタから第１及び第２のノードを介して中継センタに戻るループ状の光伝送路を形成するので、伝送される光信号の情報量が増加した場合、光ファイバなどの光伝送路を新たに敷設することなく、ループ状の光伝送路を巡回する光信号の伝送速度を上げたり、第１及び第２のノードの機器を変えることなどにより対応することができる。従って、光ファイバなどの光伝送路を新たに敷設する必要がなく、システム構築のための作業時間やコストを低減することができる。
【００６２】
また、第１のノードや第２のノードに速度変換部を設けたり、所定の波長の光信号を取り出すバンドパスフィルタを設けることにより、利用地域やクライアントなどに応じて光信号の伝送速度や波長を容易に変えることが可能となる。
【図面の簡単な説明】
【図１】本発明の第１の実施の形態に係る中継ネットワーク方式の構成を示す説明図である。
【図２】本発明の第２の実施の形態に係る中継ネットワーク方式の構成を示す説明図である。
【図３】第２の実施の形態に係る第２のノードの構成を示す構成図である。
【図４】本発明の第３の実施の形態に係る中継ネットワーク方式の構成を示す説明図である。
【図５】第３の実施の形態に係る第２のノードの構成を示す構成図である。
【図６】第２の実施の形態と第３の実施の形態を組み合わせて構成した例を示す説明図である。
【図７】第４の実施の形態に係る第１のノードの構成を示す構成図である。
【図８】本発明の第５の実施の形態に係る中継ネットワーク方式の構成を示す説明図である。
【図９】本発明の第５の実施の形態に係る中継ネットワーク方式に用いられる切替スイッチ装置の動作を説明するための説明図である。
【図１０】従来の中継ネットワーク方式の構成を示す説明図である。
【符号の説明】
Ｌ：ループ状の光伝送路
１：通信ネットワーク
２：ＩＰマネージャ
３：中継センタ
４：端末
５：第１のノード
６：第２のノード
７：第１のループ光伝送路
８：第２のループ光伝送路
８ａ：切替スイッチ
９：光カプラ
１０，１１，１２，１３：Ｅ／Ｏ、Ｏ／Ｅ
１４：第１の電気信号処理部
１５：第２の電気信号処理部
１６：結合部
１７：バンドパスフィルタ
１８，１９：Ｅ／Ｏ、Ｏ／Ｅ
２０：電気信号処理部
２１：Ｅ／Ｏ、Ｏ／Ｅ
２２：バンドパスフィルタ
２３：光伝送路
２４．２５：Ｅ／Ｏ、Ｏ／Ｅ
２６：電気信号処理部
２７：ループ状の光伝送路
２８：第１の切替スイッチ装置
２９：第２の切替スイッチ装置
３０：給電線
【図１】
0003857944.tif 000002
【図２】
0003857944.tif 000003
【図３】
0003857944.tif 000004
【図４】
0003857944.tif 000005
【図５】
0003857944.tif 000006
【図６】
0003857944.tif 000007
【図７】
0003857944.tif 000008
【図８】
0003857944.tif 000009
【図９】
0003857944.tif 000010
【図１０】
0003857944.tif 000011